(57)【特許請求の範囲】
【請求項１】
それぞれがアノード電極、カソード電極およびゲート電極を有する複数個の転送部サイリスタを一次元的に配列し、
各々の前記転送部サイリスタのゲート電極を、負荷抵抗を介して電源を供給する電源ラインに接続し、
アノードおよびカソードを有する複数のダイオードを用いて、各々の転送部サイリスタのゲート電極と当該転送部サイリスタの一方の側に隣接する他の転送部サイリスタのゲート電極とを、当該転送部サイリスタ側が当該カソード、当該他の転送部サイリスタ側が当該アノードとなるように接続し、且つ、各々の転送部サイリスタのゲート電極と当該転送部サイリスタの他方の側に隣接するさらに他の転送部サイリスタのゲート電極とを、当該転送部サイリスタ側が当該アノード、当該さらに他の転送部サイリスタ側が当該カソードとなるように接続し、
一次元的に配列された複数個の前記転送部サイリスタのアノード電極またはカソード電極を、第１のクロックパルスを供給する第１のクロックパルスラインと第２のクロックパルスを供給する第２のクロックパルスラインとに対して配列方向に交互に接続してなる転送部と、
それぞれがアノード端子、カソード端子およびゲート端子を有する複数個の発光部サイリスタを一次元的に配列し、
各々の前記発光部サイリスタのゲート端子に対応する前記転送部サイリスタのゲート電極を接続し、
一次元的に配列された複数個の前記発光部サイリスタのアノード端子またはカソード端子を、書込み信号を供給する書込み信号ラインに接続してなる発光部と
を備える自己走査型発光素子アレイにおいて、
前記第１のクロックパルスと前記第２のクロックパルスとにより、一次元的に配列された複数の前記転送部サイリスタを前段から後段に向けて順次オンし、オン状態にある転送部サイリスタに対応する発光部サイリスタを、前記書込み信号により順次点灯させる駆動方法であって、
前記自己走査型発光素子アレイを用いて第１の解像度にて書込みを行う場合は、１個の転送部サイリスタがオンしているときに、当該１個の転送部サイリスタに対応する１個の発光部サイリスタのみを点灯させるように書込み信号を供給し、
前記自己走査型発光素子アレイを用いて前記第１の解像度の半分となる第２の解像度にて書込みを行う場合は、隣接する２個の転送部サイリスタがともにオンしているときに、当該隣接する２個の転送部サイリスタにそれぞれ対応する隣接する２個の発光部サイリスタを点灯させるように書込み信号を供給する
ことを特徴とする自己走査型発光素子アレイの駆動方法。
【請求項２】
前記隣接する２個の発光部サイリスタを点灯させるときの書込み信号の大きさは、前記１個の発光部サイリスタのみを点灯させるときの書込み信号の２倍とすることを特徴とする請求項１記載の自己走査型発光素子アレイの駆動方法。
【請求項３】
感光体と、
前記感光体を帯電する帯電器と、
前記帯電器にて帯電された前記感光体を露光して潜像を形成する書込みヘッドと、
前記感光体に形成された潜像を現像する現像器と
を備えた画像形成装置において、
前記書込みヘッドは、
それぞれがアノード電極、カソード電極およびゲート電極を有する複数個の転送部サイリスタを一次元的に配列し、
各々の前記転送部サイリスタのゲート電極を、負荷抵抗を介して電源を供給する電源ラインに接続し、
アノードおよびカソードを有する複数のダイオードを用いて、各々の転送部サイリスタのゲート電極と当該転送部サイリスタの一方の側に隣接する他の転送部サイリスタのゲート電極とを、当該転送部サイリスタ側が当該カソード、当該他の転送部サイリスタ側が当該アノードとなるように接続し、且つ、各々の転送部サイリスタのゲート電極と当該転送部サイリスタの他方の側に隣接するさらに他の転送部サイリスタのゲート電極とを、当該転送部サイリスタ側が当該アノード、当該さらに他の転送部サイリスタ側が当該カソードとなるように接続し、
一次元的に配列された複数個の前記転送部サイリスタのアノード電極またはカソード電極を、第１のクロックパルスを供給する第１のクロックパルスラインと第２のクロックパルスを供給する第２のクロックパルスラインとに対して配列方向に交互に接続してなる転送部と、
それぞれがアノード端子、カソード端子およびゲート端子を有する複数個の発光部サイリスタを一次元的に配列し、
各々の前記発光部サイリスタのゲート端子に対応する前記転送部サイリスタのゲート電極を接続し、
一次元的に配列された複数個の前記発光部サイリスタのアノード端子またはカソード端子を、書込み信号を供給する書込み信号ラインに接続してなる発光部と
を備える自己走査型発光素子アレイと、
前記第１のクロックパルスと前記第２のクロックパルスとにより、一次元的に配列された複数の前記転送部サイリスタを前段から後段に向けて順次オンし、オン状態にある転送部サイリスタに対応する発光部サイリスタを、前記書込み信号により順次点灯させる際に、
前記自己走査型発光素子アレイを用いて第１の解像度にて書込みを行う場合は、１個の転送部サイリスタがオンしているときに、当該１個の転送部サイリスタに対応する１個の発光部サイリスタのみを点灯させるように書込み信号を供給し、
前記自己走査型発光素子アレイを用いて前記第１の解像度の半分となる第２の解像度にて書込みを行う場合は、隣接する２個の転送部サイリスタがともにオンしているときに、当該隣接する２個の転送部サイリスタにそれぞれ対応する隣接する２個の発光部サイリスタを点灯させるように書込み信号を供給する駆動回路と
を備えることを特徴とする画像形成装置。
【請求項４】
前記駆動回路は、前記隣接する２個の発光部サイリスタを点灯させるときの書込み信号の大きさを、前記１個の発光部サイリスタのみを点灯させるときの書込み信号の２倍とすることを特徴とする請求項３記載の画像形成装置。
【発明の詳細な説明】
【０００１】
【発明の属する技術分野】
本発明は、自己走査型発光素子アレイ、特に、書込み信号ライン１本あたり複数個のサイリスタを同時に点灯できるようにした自己走査型発光素子アレイの駆動方法に関する。
【０００２】
【従来の技術】
光プリンタの書込みヘッド（光書込みヘッド）は、感光ドラムに光を露光させるための光源であり、発光素子アレイを有している。光書込みヘッドを備える光プリンタの原理図を図１に示す。円筒形の感光ドラム５の表面に、アモルファスＳｉ等の光導電性を持つ材料（感光体）が作られている。このドラムはプリントの速度で回転している。回転しているドラムの感光体表面を、帯電器６で一様に帯電させる。そして、光書込みヘッド７で、印字するドットイメージの光を感光体上に照射し、光の当たったところの帯電を中和し、潜像を形成する。続いて、現像器８で感光体上の帯電状態にしたがって、トナーを感光体上につける。そして、転写器１０でカセット１２中から送られてきた用紙１４上に、トナーを転写する。用紙は、定着器１６にて熱等を加えられ定着され、スタッカ１８に送られる。一方、転写の終了したドラムは、消去ランプ２０で帯電が全面にわたって中和され、清掃器２２で残ったトナーが除去される。
【０００３】
光書込みヘッド７の構造を図２に示す。光書込みヘッドは発光素子アレイ２４と、正立等倍光学系、例えばロッドレンズアレイ２６で構成され、レンズの焦点が感光ドラム５上に結ぶようになっている。
【０００４】
本発明者らは、自己走査型の発光素子アレイの構成要素として、ｐｎｐｎ構造を持つ３端子発光サイリスタに注目し、既に特許出願（特開平１−２３８９６２号公報、特願平２−１４５８４号公報、特開平２−９２６５０号公報、特開平２−９２６５１号公報）し、光プリンタ用光源として実装上簡便となること、発光素子ピッチを細かくできること、コンパクトな自己走査型発光素子アレイを作製できること等を示した。
【０００５】
さらに本発明者らは、転送サイリスタアレイをシフト部として、発光部である発光サイリスタアレイと分離した構造の自己走査型発光素子アレイを提案している（特開平２−２６３６６８号公報）。
【０００６】
自己走査型発光素子アレイの回路例を図３に示す。２相クロックパルスφ１，φ２で駆動するシフト部（サイリスタＴ0 ，Ｔ1 ，Ｔ2 ，…）と、シフト部の指定によって発光可能となる発光部（サイリスタＬ0 ，Ｌ1 ，Ｌ2 ，…）からなっている。転送部サイリスタのゲートを互いに電気的に接続するのにダイオードＤ0 ，Ｄ1 ，Ｄ2 ，…を用いている。ＶGKは電源（通常＋５Ｖ）であり、負荷抵抗ＲL を経て各転送部サイリスタのゲート電極Ｇ0 ，Ｇ1 ，Ｇ2 ，…に接続されている。また、転送部サイリスタのゲート電極は、発光部サイリスタのゲート電極にも接続される。転送部サイリスタＴ0 のゲート電極にはスタートパルスφS が加えられ、転送部サイリスタのアノード電極には、交互に転送用クロックパルスφ１，φ２が加えられ、発光部サイリスタのアノード電極には、書込み信号φI が加えられる。
【０００７】
なお図中、３０はφI ライン，３２はＶGKライン，３４はφ２ライン，３６はφ１ラインを示している。また、Ｒ１，Ｒ２，ＲI は、φ１ライン，φ２ライン，φI ラインに挿入された電流制限抵抗、ＲS はスタートパルス用の電流制限抵抗を示している。
【０００８】
いま、ｎ番目のシフト部サイリスタＴn がオンしているとき、書込み信号φI をＨとすると、選択的にシフト部サイリスタＴn に対応する発光部サイリスタＬn がオンする。発光部でサイリスタＬn のみオンして他のサイリスタがオンしないのは、以下の理由による。サイリスタＴn とサイリスタＬn のゲート同士は直接接続され同電位となっており、シフト部サイリスタＴn がオンしている場合、発光部サイリスタＬn のゲート電位は、ほとんど基板電位となり、最も低い電位となる。次に低い電位となる発光部サイリスタは、サイリスタＬn+1 のゲートであり、結合ダイオードＤn の電圧降下分の約１Ｖ高い値となる。この状態で、書込み信号φI ラインをＨの電圧（例えば＋５Ｖ）に引き上げると、ゲート電位が最も低いサイリスタＬn が最も早くオンする。ひとたびオンすると、サイリスタＬn のアノードの電圧は、ｐｎ接合の順方向電圧の約１Ｖに固定される。発光部の全てのサイリスタのアノードはφI ライン１０に直接接続されているので、次にゲート電位の高いサイリスタＬn+1 は、ゲート・アノード間の電位差が無くなりオンできなくなる。このため、従来の構成の自己走査型発光素子アレイでは、φI ライン１本あたり１個のサイリスタしか同時に点灯できない。
【０００９】
以上のような自己走査型発光素子アレイは、例えば２５６個の発光素子を有するチップに作製されるが、光プリンタの書込みヘッドを構成する場合は、複数個の自己走査型発光素子アレイチップを配列して、所望の発光素子数を得る。
【００１０】
【発明が解決しようとする課題】
光プリンタの書込みヘッドに例えば１２００ｄｐｉの解像度の発光素子アレイを用いて、光プリンタで「高画質の出力を得たい場合は、１２００ｄｐｉの解像度で描画を行い」、一方、「低解像度でも十分な用途には、６００ｄｐｉの解像度で描画を行う」場合について考える。従来のように、解像度によらず１チップあたり発光するサイリスタ数を同じとして使うと（上述した例では、１チップあたり１個）、解像度を下げても印刷速度はほとんど同じである。
【００１１】
したがって、解像度を下げた場合に、印刷速度を速くすることが望まれる。このためには、１チップにつきφI ライン１本あたり複数個のサイリスタを同時に点灯できるようにすればよい。
【００１２】
本発明の目的は、φI ライン１本あたり複数個のサイリスタを同時に点灯できる自己走査型発光素子アレイの駆動方法を提供することにある。
【００１３】
【課題を解決するための手段】
本発明は、それぞれがアノード電極、カソード電極およびゲート電極を有する複数個の転送部サイリスタを一次元的に配列し、各々の前記転送部サイリスタのゲート電極を、負荷抵抗を介して電源を供給する電源ラインに接続し、アノードおよびカソードを有する複数のダイオードを用いて、各々の転送部サイリスタのゲート電極と当該転送部サイリスタの一方の側に隣接する他の転送部サイリスタのゲート電極とを、当該転送部サイリスタ側が当該カソード、当該他の転送部サイリスタ側が当該アノードとなるように接続し、且つ、各々の転送部サイリスタのゲート電極と当該転送部サイリスタの他方の側に隣接するさらに他の転送部サイリスタのゲート電極とを、当該転送部サイリスタ側が当該アノード、当該さらに他の転送部サイリスタ側が当該カソードとなるように接続し、一次元的に配列された複数個の前記転送部サイリスタのアノード電極またはカソード電極を、第１のクロックパルスを供給する第１のクロックパルスラインと第２のクロックパルスを供給する第２のクロックパルスラインとに対して配列方向に交互に接続してなる転送部と、それぞれがアノード端子、カソード端子およびゲート端子を有する複数個の発光部サイリスタを一次元的に配列し、各々の前記発光部サイリスタのゲート端子に対応する前記転送部サイリスタのゲート電極を接続し、一次元的に配列された複数個の前記発光部サイリスタのアノード端子またはカソード端子を、書込み信号を供給する書込み信号ラインに接続してなる発光部とを備える自己走査型発光素子アレイにおいて、前記第１のクロックパルスと前記第２のクロックパルスとにより、一次元的に配列された複数の前記転送部サイリスタを前段から後段に向けて順次オンし、オン状態にある転送部サイリスタに対応する発光部サイリスタを、前記書込み信号により順次点灯させる駆動方法であって、前記自己走査型発光素子アレイを用いて第１の解像度にて書込みを行う場合は、１個の転送部サイリスタがオンしているときに、当該１個の転送部サイリスタに対応する１個の発光部サイリスタのみを点灯させるように書込み信号を供給し、前記自己走査型発光素子アレイを用いて前記第１の解像度の半分となる第２の解像度にて書込みを行う場合は、隣接する２個の転送部サイリスタがともにオンしているときに、当該隣接する２個の転送部サイリスタにそれぞれ対応する隣接する２個の発光部サイリスタを点灯させるように書込み信号を供給することを特徴とする自己走査型発光素子アレイの駆動方法である。
【００１４】
このとき、前記隣接する２個の発光部サイリスタを点灯させるときの書込み信号の大きさは、前記１個の発光部サイリスタのみを点灯させるときの書込み信号の２倍とすることが好ましい。
【００１５】
また、本発明は、感光体と、前記感光体を帯電する帯電器と、前記帯電器にて帯電された前記感光体を露光して潜像を形成する書込みヘッドと、前記感光体に形成された潜像を現像する現像器とを備えた画像形成装置において、前記書込みヘッドは、それぞれがアノード電極、カソード電極およびゲート電極を有する複数個の転送部サイリスタを一次元的に配列し、各々の前記転送部サイリスタのゲート電極を、負荷抵抗を介して電源を供給する電源ラインに接続し、アノードおよびカソードを有する複数のダイオードを用いて、各々の転送部サイリスタのゲート電極と当該転送部サイリスタの一方の側に隣接する他の転送部サイリスタのゲート電極とを、当該転送部サイリスタ側が当該カソード、当該他の転送部サイリスタ側が当該アノードとなるように接続し、且つ、各々の転送部サイリスタのゲート電極と当該転送部サイリスタの他方の側に隣接するさらに他の転送部サイリスタのゲート電極とを、当該転送部サイリスタ側が当該アノード、当該さらに他の転送部サイリスタ側が当該カソードとなるように接続し、一次元的に配列された複数個の前記転送部サイリスタのアノード電極またはカソード電極を、第１のクロックパルスを供給する第１のクロックパルスラインと第２のクロックパルスを供給する第２のクロックパルスラインとに対して配列方向に交互に接続してなる転送部と、それぞれがアノード端子、カソード端子およびゲート端子を有する複数個の発光部サイリスタを一次元的に配列し、各々の前記発光部サイリスタのゲート端子に対応する前記転送部サイリスタのゲート電極を接続し、一次元的に配列された複数個の前記発光部サイリスタのアノード端子またはカソード端子を、書込み信号を供給する書込み信号ラインに接続してなる発光部とを備える自己走査型発光素子アレイと、前記第１のクロックパルスと前記第２のクロックパルスとにより、一次元的に配列された複数の前記転送部サイリスタを前段から後段に向けて順次オンし、オン状態にある転送部サイリスタに対応する発光部サイリスタを、前記書込み信号により順次点灯させる際に、前記自己走査型発光素子アレイを用いて第１の解像度にて書込みを行う場合は、１個の転送部サイリスタがオンしているときに、当該１個の転送部サイリスタに対応する１個の発光部サイリスタのみを点灯させるように書込み信号を供給し、前記自己走査型発光素子アレイを用いて前記第１の解像度の半分となる第２の解像度にて書込みを行う場合は、隣接する２個の転送部サイリスタがともにオンしているときに、当該隣接する２個の転送部サイリスタにそれぞれ対応する隣接する２個の発光部サイリスタを点灯させるように書込み信号を供給する駆動回路とを備えることを特徴とする画像形成装置である。
【００１６】
このとき、前記駆動回路は、前記隣接する２個の発光部サイリスタを点灯させるときの書込み信号の大きさを、前記１個の発光部サイリスタのみを点灯させるときの書込み信号の２倍とすることが好ましい。
【００１８】
【発明の実施の形態】
【００１９】
【実施例１】
１２００ｄｐｉ，２５６発光素子の自己走査型発光素子アレイチップ（図３）を、複数個配列して構成した書込みヘッドを、１２００ｄｐｉの解像度で駆動する波形例を図４に、６００ｄｐｉの解像度で駆動する波形例を図５に示す。本実施例は、この２種類の波形を使い分けることによって、１２００ｄｐｉの発光素子アレイを使いながら、６００ｄｐｉの解像度で画像を出すときは、隣接する発光素子２個を１ブロックと見なして同時に点灯することにより、１２００ｄｐｉの解像度の場合の倍の印刷速度を実現するものである。
【００２０】
なお、本実施例では、クロックパルスφ１，φ２は、書込みヘッドを構成する複数の自己走査型発光素子アレイチップで共通であるものとする。
【００２１】
まず、図４を参照して１２００ｄｐｉの解像度での駆動波形について説明する。発光部書込み信号φI の波形は、周期Ｔの繰り返しとなっており、シフト部クロックパルスφ１，φ２の波形は、周期２Ｔの繰り返しとなっている。図中、期間ｔa は、シフト部サイリスタＴn-1 がオンしている場合に、次のサイリスタＴn がオンするために必要な重なり時間である。また、期間ｔb は、シフト部サイリスタＴn がオンしてから発光部サイリスタＬn がオンできるまでの待ち時間である。このｔa ，ｔb の間は発光部サイリスタＬn は点灯できず、残りの期間Ｔ−（ｔa ＋ｔb ）の間だけ点灯できる。
【００２２】
これら駆動波形の特徴は、「発光部サイリスタＬn が点灯しているとき、オンしているシフト部サイリスタはＴn だけである」ことである。
【００２３】
次に、図５を参照して、６００ｄｐｉの解像度での駆動波形について説明する。この波形では、発光部書込み信号φI も、シフト部クロックパルスφ１，φ２も、繰り返し周期は２Ｔで等しい。今、隣接する転送部サイリスタＴ2n-3，Ｔ2n-2が同時にオンしているものとする。図中、最初の期間ｔe は、転送部サイリスタＴ2n-3をオフさせるために必要な時間、次の期間ｔa はサイリスタＴ2n-1をオンさせるために必要な重なり時間、次の期間ｔe は、サイリスタＴ2n-2をオフさせるために必要な時間、次の期間ｔa はサイリスタＴ2nをオンさせるために必要な重なり時間であり、残りの期間２Ｔ−２（ｔa ＋ｔe ）は、発光部サイリスタＬ2n-1とＬ2nが同時に点灯可能な時間である。
【００２４】
これらの駆動波形の特徴は、「発光部サイリスタＬ2n-1およびＬ2nが同時に点灯でき、このときシフト部サイリスタＴ2n-1とＴ2nが同時にオンしている」ことである。ただし、２個の発光部サイリスタＬ2n-1，Ｌ2nが同時に点灯するので、書込み信号φI の電流も２個のサイリスタ分だけ流さなければならない。このため、φI 駆動回路は、解像度に応じて、１個点灯時電流ＩL と、２個点灯時電流２ＩL の２つのレベルを持つ必要がある。
【００２５】
書込み信号φI の駆動回路例を、図６に示す。この駆動回路は、２個のインバータと、３個のＭＯＳＦＥＴと、２個の電流制限用抵抗とから構成されている。各インバータの入力電圧をＶIa，ＶIbとする。駆動回路の出力電圧を、ＶI とする。
【００２６】
１個点灯時には入力電圧ＶIbをＬにすると、抵抗ＲIbが回路から切り離される。残りの抵抗ＲIbの値で電流値が決まる。
【００２７】
一方、２個点灯時には、入力電圧ＶIaおよびＶIbを共にＨにすると、抵抗ＲIa，ＲIbが共に回路に挿入される。電流値は、これら並列抵抗の抵抗値で決まる。ＲIaの抵抗値＝ＲIbの抵抗値とすれば、並列抵抗値は、１個の抵抗の値の１／２になるので、２個点灯時電流を、１個点灯時電流の２倍にできる。
【００２８】
図７は、図６の回路の機能を、２個の電流源Ｊa ，Ｊb を用いて実現した、書込み信号φI の駆動回路を示す。これら電流源の出力側には、スイッチＳＷa ，ＳＷb がそれぞれ設けられ、これらスイッチは入力電圧ＶIa，ＶIbにより開閉が制御される。電流源Ｊa ，Ｊb の発生する電流を同じにすれば、１個点灯時には、スイッチＳＷa またはＳＷb を閉じ、２個点灯時にスイッチＳＷa およびＳＷb を閉じれば、２個点灯時には、１個点灯時の２倍の電流を供給することができる。
【００２９】
以上のようなφI 駆動回路を用い、１２００ｄｐｉ×１２００ｄｐｉ（主走査方向×副走査方向）の解像度で、Ａ４用紙（縦）を毎分２０枚印刷できるプリンタヘッドを、図４の駆動波形で駆動する場合を考える。Ａ４用紙の縦は約１３８００行に相当する。これを３秒（２０枚毎分）で描くので、１行あたりの印刷時間は２２０μｓ、１発光素子あたりの周期Ｔは８５０ｎｓとなる。ｔa ＝ｔb ＝１００ｎｓとすると、１発光素子の点灯可能な時間は約６５０ｎｓである。
【００３０】
次に、６００ｄｐｉ×１２００ｄｐｉ（副走査方向の解像度は同じ）の解像度で、印刷する場合を考える。この場合、図５の駆動波形で駆動する。ｔa ＝ｔb ＝１００ｎｓとすると、２Ｔ＝６５０ｎｓ＋４００ｎｓとなり、１行あたりの印刷時間は１０５０ｎｓ×１２８＝１３４μｓとなる。これは、１２００×１２００ｄｐｉのときの約１／１．６の時間であり、解像度を６００×１２００ｄｐｉとすることで、１．６倍の印刷速度が得られた。
【００３１】
なお、ｔa ，ｔb ，ｔe が点灯時間に対して無視できる程小さければ、印刷速度をほぼ２倍にすることができる。
【００３２】
以上のように、本実施例によれば、ほとんど回路に変更無く、１２００ｄｐｉの発光素子アレイを使って、６００ｄｐｉの画像を得られるため、６００ｄｐｉ専用ヘッドを作る場合も、１２００ｄｐｉヘッドと部品の共通化が図れコストダウンできる。
【００３３】
【実施例２】
実施例１では、クロックパルスφ１，φ２は、書込みヘッドを構成する複数の自己走査型発光素子アレイチップで共通である場合を説明した。クロックパルスφ１，φ２を共通とすることで、回路構成が簡単になるというメリットがある。
【００３４】
実施例２では、クロックパルスφ１，φ２を自己走査型発光素子アレイチップ毎に独立に与える回路構成について考える。実施例１では、２つの発光素子を１つのブロックと見なして、発光部サイリスタＬ2n-1とＬ2nを同時に点灯した。しかし、１つのブロック（サイリスタＬ2n-1およびＬ2n）のサイリスタＬ2n-1のみ、またはＬ2nのみを点灯できれば、チップの解像度を生かしたまま、高速印刷が可能となる。そこで、各点灯状態に対応して、φ１，φ２，φI （ＶIa，ＶIb）の波形を変化させることにより、同時に２個のサイリスタが点灯できるモードで、チップ本来の解像度での印刷が可能となる。
【００３５】
図８に、変化させたφ１，φ２，ＶIa，ＶIbの４つの波形パターン０，Ｉ，II，III を示す。波形パターン０はＬ2n-1,Ｌ2nともに消灯を、波形パターンＩはサイリスタＬ2n-1のみ点灯を、波形パターンIIはサイリスタＬ2nのみ点灯を、波形パターンIII はサイリスタＬ2n-1,Ｌ2nともに点灯する場合を示している。
【００３６】
波形パターン０では、クロックパルスφ１，φ２をＬ，Ｈにして、シフト部転送を行い、入力電圧ＶIa，ＶIbは共にＬにして、書込み信号φI をＬのままにする。この場合、発光部サイリスタＬ2n-1,Ｌ2nは、共に消灯している。
【００３７】
波形パターンＩは、シフト部サイリスタＴ2n-1のみがオンした状態で、入力電圧ＶIaをＨおよび入力電圧ＶIbをＬにして書込み信号φI をＨにし、発光部サイリスタＬ2n-1を点灯させる。その後、発光部サイリスタＬ2n-1を消灯した後に、シフト部でのオン状態をサイリスタＴ2nに移している。
【００３８】
波形パターンIIは、パターンＩと逆であり、先にサイリスタＴ2n-1からサイリスタＴ2nにオン状態を移してしまい、この状態で入力電圧ＶIaをＨにして書込み信号φI をＨとし、サイリスタＬ2nのみ点灯させる。
【００３９】
波形パターンIII は、実施例１と同じであり、サイリスタＴ2n-1とＴ2nが同時にオンしている状態で、入力電圧ＶIaおよびＶIbをＨにして、書込み信号φI をＨとしてサイリスタＬ2n-1とＬ2nを同時に点灯させる。この波形パターンでは、２つのサイリスタを点灯させるため、２倍の電流を流すように、入力電圧ＶIaとＶIbを同時にＨに上げている。
【００４０】
以上の４種類のパターンを組み合わせた例を図９に示す。φ１，φ２，ＶIa，ＶIbの波形の変化により、隣接する２個の発光部サイリスタＬ2n-1とＬ2nの点滅の様子を示している。○は点灯を、●は消灯を示している。
【００４１】
４種類の何れのパターンを組み合わせても、シフト部は１ブロックあたり２サイリスタ分ずつ転送していることが分かるであろう。
【００４２】
【発明の効果】
本発明の駆動方法によれば、自己走査型発光素子アレイにおいて、φI ライン１本あたり複数個のサイリスタを同時に点灯できるので、解像度を下げた場合に、印刷速度を速くすることができる。
【図面の簡単な説明】
【図１】光書込みヘッドを備える光プリンタの原理を示す図である。
【図２】光書込みヘッドの構造を示す図である。
【図３】シフト部と発光部とを分離した構造の自己走査型発光素子アレイの等価回路図である。
【図４】１２００ｄｐｉの解像度で駆動する波形例を示す図である。
【図５】６００ｄｐｉの解像度で駆動する波形例を示す図である。
【図６】書込み信号φI の駆動回路の一例を示す図である。
【図７】書込み信号φI の駆動回路の他の例を示す図である。
【図８】波形パターンを示す図である。
【図９】４種類の波形パターンを組み合わせた例を示す図である。
【符号の説明】
５  感光ドラム
６  帯電器
７  光書込みヘッド
８  現像器
１０  転写器
１２  カセット
１４  用紙
１６  定着器
１８  スタッカ
２０  消去ランプ
２２  清掃器
３０  φI ライン
３２  ＶGKライン
３４  φ２ライン
３６  φ１ライン
【図１】
0004165003.tif 000002
【図２】
0004165003.tif 000003
【図３】
0004165003.tif 000004
【図４】
0004165003.tif 000005
【図５】
0004165003.tif 000006
【図６】
0004165003.tif 000007
【図７】
0004165003.tif 000008
【図８】
0004165003.tif 000009
【図９】
0004165003.tif 000010